(57)【要約】【課題】車両において受信される情報に応じて表示形式を変更することで視認性の高い表示を行うことが可能な車載表示装置を提供することを目的の一つとする。【解決手段】車両の外部から入力された情報に含まれる文字列を文字候補領域に一列または複数列で表示する表示部と、前記文字列の表示幅が閾値以下である場合、前記文字列を第１サイズ且つ一列で前記表示部に表示させ、前記文字列の表示幅が前記閾値よりも大きい場合には、前記文字列を前記第１サイズよりも小さい第２サイズ且つ複数列で前記表示部に表示させる表示制御部とを備える車載表示装置。【選択図】図２
2018022094.tif 000002
【特許請求の範囲】
【請求項１】
車両の外部から入力された情報に含まれる文字列を文字候補領域に一列または複数列で表示する表示部と、
前記文字列の表示幅が閾値以下である場合、前記文字列を第１サイズ且つ一列で前記表示部に表示させ、前記文字列の表示幅が前記閾値よりも大きい場合には、前記文字列を前記第１サイズよりも小さい第２サイズ且つ複数列で前記表示部に表示させる表示制御部と
を備える車載表示装置。
【請求項２】
前記表示制御部は、前記文字列が前記表示部の文字候補領域に収まらない場合、前記文字列の末尾に省略文字を追加する、請求項１に記載の車載表示装置。
【請求項３】
前記表示制御部は、前記文字列の末尾に前記省略文字を追加し、前記文字列の省略文字の直前の１文字を削除することで、前記省略文字が追加された前記文字列を前記表示部に表示させる、請求項２に記載の車載表示装置。
【請求項４】
前記省略文字は、前記文字列に含まれる全角の文字に対して半角の文字である、請求項３に記載の車載表示装置。
【請求項５】
前記表示制御部は、前記省略文字の直前の１文字が削除された後の前記文字列が前記表示部の文字候補領域に収まらない場合、前記省略文字の直前の１文字をさらに削除する、請求項４に記載の車載表示装置。
【請求項６】
前記表示制御部は、前記車両の外部から入力された情報のうち、前記車両に関連付けされていない情報を除外する、請求項１から５のいずれか一項に記載の車載表示装置。
【請求項７】
前記車両の乗員による前記文字列の音声合成による読み上げの操作を受け付ける操作受付部をさらに備える、請求項１から６のいずれか一項に記載の車載表示装置。
【請求項８】
前記車両が停止している場合、前記表示制御部は、前記車両の外部から入力された情報を前記表示部の表示画面の全体に表示させる、請求項１から７のいずれか一項に記載の車載表示装置。
【発明の詳細な説明】
【技術分野】
【０００１】
本発明は、車載表示装置に関する。
【背景技術】
【０００２】
近年、車両の外部から発信された各種情報を車両で受信し、車両に設けられた車載表示装置にこれらの情報を表示する技術について研究が進められている。受信した情報を車載表示装置が表示することで、車両乗員は、乗車時にこれらの情報を入手することができる。また、これらの情報が車載表示装置に表示される場合における視認性を向上させるべく、表示方法についての研究も進められている（例えば、特許文献１）。
【先行技術文献】
【特許文献】
【０００３】
【特許文献１】特許第３７３３７５５号公報
【発明の概要】
【発明が解決しようとする課題】
【０００４】
車両において受信される情報の内容は発信される情報毎に変化するものであるが、いずれについても車両乗員が視認できるような視認性の高い表示が行われることが好ましい。例えば、視認性および操作性の観点から、車載表示装置における各種情報（メッセージタイトル，本文など）の表示位置、車両乗員の操作を受け付ける各種ボタンの位置などのレイアウトを統一することが好ましい。
【０００５】
また、車載表示装置に表示される情報はその情報量に応じて長文となることがある。車載表示装置に設定された表示領域に表示可能な文字列の長さには制限があるため、この長文の文字列をそのまま表示できない場合がある。この場合、車両において受信された情報に含まれる文字列を適宜加工して表示する必要があるが、車両乗員がその内容を理解できる程度に文字列の調整を行うこと、表示した際の視認性を維持することなどが求められる。
【０００６】
本発明は、このような事情を考慮してなされたものであり、車両において受信される情報に応じて表示形式を変更することで視認性の高い表示を行うことが可能な車載表示装置を提供することを目的の一つとする。
【課題を解決するための手段】
【０００７】
請求項１に記載の発明は、車両の外部から入力された情報に含まれる文字列を文字候補領域に一列または複数列で表示する表示部と、前記文字列の表示幅が閾値以下である場合、前記文字列を第１サイズ且つ一列で前記表示部に表示させ、前記文字列の表示幅が前記閾値よりも大きい場合には、前記文字列を前記第１サイズよりも小さい第２サイズ且つ複数列で前記表示部に表示させる表示制御部とを備える車載表示装置である。
【０００８】
請求項２に記載の発明は、請求項１に記載の発明において、前記表示制御部は、前記文字列が前記表示部の文字候補領域に収まらない場合、前記文字列の末尾に省略文字を追加するものである。
【０００９】
請求項３に記載の発明は、請求項２に記載の発明において、前記表示制御部は、前記文字列の末尾に前記省略文字を追加し、前記文字列の省略文字の直前の１文字を削除することで、前記省略文字が追加された前記文字列を前記表示部に表示させるものである。
【００１０】
請求項４に記載の発明は、請求項３に記載の発明において、前記省略文字は、前記文字列に含まれる全角の文字に対して半角の文字であるものである。
【００１１】
請求項５に記載の発明は、請求項４に記載の発明において、前記表示制御部は、前記省略文字の直前の１文字が削除された後の前記文字列が前記表示部の文字候補領域に収まらない場合、前記省略文字の直前の１文字をさらに削除するものである。
【００１２】
請求項６に記載の発明は、請求項１から５のいずれか一項に記載の発明において、前記表示制御部は、前記車両の外部から入力された情報のうち、前記車両に関連付けされていない情報を除外するものである。
【００１３】
請求項７に記載の発明は、請求項１から６のいずれか一項に記載の発明において、前記車両の乗員による前記文字列の音声合成による読み上げの操作を受け付ける操作受付部をさらに備えるものである。
【００１４】
請求項８に記載の発明は、請求項１から７のいずれか一項に記載の発明において、前記車両が停止している場合、前記表示制御部は、前記車両の外部から入力された情報を前記表示部の表示画面の全体に表示させるものである。
【発明の効果】
【００１５】
請求項１に記載の発明によれば、車両の外部から受信した情報を、車両に設けられた表示制御装置で処理し、その情報量に応じて、表示画面に表示される文字サイズおよび列数を制御するため、表示画面の視認性を向上させることができる。
【００１６】
請求項２から５に記載の発明によれば、表示画面に省略文字が表示されることで、車両乗員は、表示画面に表示された本文に続きがあることを把握することができる。また、文字候補領域の末尾に不要なスペースが表示されないように省略文字が追加されることで、画面の見栄えを向上させることができる。
【００１７】
請求項６に記載の発明によれば、車両に関連付けされていない情報を除外することで、不要な情報が表示制御装置に表示されることを防止し利便性を向上させることができる。
【００１８】
請求項７に記載の発明によれば、車両乗員は車両の外部から入力された情報に応じて音声合成による読み上げを選択し、音声により情報の内容を確認することができる。
【００１９】
請求項８に記載の発明によれば、車両停止中においては、より多くの情報を含み且つ視認性の高い画面を表示させることができる。
【図面の簡単な説明】
【００２０】
【図１】第１の実施形態における車載表示装置が設けられた車両の車室内の一例を示す図である。
【図２】第１の実施形態における車載表示装置の機能ブロック図である。
【図３】第１の実施形態における車載表示装置における車両状態判定処理の流れの一例を示すフローチャートである。
【図４】第１の実施形態における車載表示装置の走行時表示制御の処理の流れの一例を示すフローチャートである。
【図５】第１の実施形態における車両走行中において、情報を表示する場合の画面の一例を示す図である。
【図６】第１の実施形態における車両走行中において、情報を第１サイズ且つ一列で表示する場合の画面の一例を示す図である。
【図７】第１の実施形態における車両走行中において、情報を第２サイズ且つ一列で表示する場合の画面の一例を示す図である。
【図８】第１の実施形態における車両走行中において、情報を第２サイズ且つ二列で表示する場合の画面の一例を示す図である。
【図９】第１の実施形態における車両走行中において、省略文字が追加された情報を第２サイズ且つ二列で表示する場合の画面の一例を示す図である。
【図１０】第１の実施形態における車両停止中において、情報を表示する場合の画面の一例を示す図である。
【図１１】第２の実施形態における車載表示装置の走行時表示制御の処理の流れの一例を示すフローチャートである。
【図１２】第２の実施形態における車両走行中において、情報を第１サイズ且つ一列で表示する場合の画面の一例を示す図である。
【図１３】第２の実施形態における車両走行中において、情報を第２サイズ且つ一列で表示する場合の画面の一例を示す図である。
【図１４】第２の実施形態における車両走行中において、情報を第２サイズ且つ二列で表示する場合の画面の一例を示す図である。
【図１５】第２の実施形態における車両走行中において、省略文字が追加された情報を第２サイズ且つ二列で表示する場合の画面の一例を示す図である。
【図１６】第２の実施形態における車両走行中において、情報を第１サイズ且つ複数列で表示する場合の画面の一例を示す図である。
【発明を実施するための形態】
【００２１】
以下、図面を参照し、本発明の車載表示装置の実施形態について説明する。
【００２２】
＜第１の実施形態＞
（車載表示装置）
図１は、車載表示装置が設けられた車両の車室内の一例を示す図である。車載表示装置１は、車両の外部から発信された各種情報（メッセージ）を受信し、表示装置にこれらの情報を表示する。例えば、車載表示装置１は、例えば、車両の車室内Ｍにおけるインストルメントパネルの各部、助手席や後部座席に対向する任意の箇所などに取り付けられる。
【００２３】
図２は、車載表示装置の機能ブロック図である。車載表示装置１は、通信部１０と、記憶部１２と、表示制御部１４と、表示部１６と、操作受付部１８とを含んでよいが、これに限定されない。
【００２４】
通信部１０は、車両の外部から発信された各種情報を受信するインターフェース装置である。通信部１０は、例えば、各種情報を車両に対して発信するメッセージセンターから、インターネットなどを介して、これらの情報を受信し、受信した情報を記憶部１２に記憶させる。これらの情報には、メッセージのタイトル、本文、および情報提供の対象となる車種に関する情報などが含まれる。
【００２５】
記憶部１２は、通信部１０によって受信された各種情報を記憶する。記憶部１２は、ＲＯＭ（Read Only Memory）やＲＡＭ（Random Access Memory）、ＨＤＤ（Hard Disk Drive）、フラッシュメモリ等で実現される。記憶部１２は、各種情報を表示部１６に表示させるためのプログラム、設定ファイル、データなどを格納する。
【００２６】
表示制御部１４は、車両の外部から入力されて記憶部１２に記憶された情報を読み出し、表示部１６に表示させる。例えば、表示制御部１４は、車両の動作状態（走行中または停止中）、および記憶部１２から読み出された情報に含まれる文字列の表示幅などに応じて、表示部１６に表示させる内容を制御する。例えば、表示制御部１４は、読み出した情報からメッセージタイトルおよび本文を抽出して、このメッセージタイトルおよび本文を含む文字列を表示部１６に表示させる。また、表示制御部１４は、読み出された情報に含まれる情報提供の対象となる車種に基づいて、表示または非表示の制御を行う。なお、情報の発信元において対象となる車種を選別して情報を発信している場合には、表示制御部１４において車種に基づく表示または非表示の制御処理は行わなくてもよい。表示制御部１４は、例えば、記憶部１２に格納されたプログラムが、メモリにロードされ、プロセッサによって実行されることにより実現される。
【００２７】
表示部１６は、表示制御部１４の制御に基づいて、記憶部１２から読み出された情報を表示する。表示部１６は、例えば、液晶ディスプレイや有機ＥＬ（Electroluminescence）表示装置などである。表示部１６が、タッチパネル対応のディスプレイである場合、車両乗員の操作を受け付ける機能を備えてもよい。また、表示部１６は、ＧＮＳＳ（Global Navigation Satellite System）受信機によって車両の位置を特定し、その位置から車両乗員によって指定された目的地までの経路を導出するナビゲーション装置の表示装置としての機能を有してもよい。
【００２８】
操作受付部１８は、車両乗員による各種操作を受け付ける。例えば、操作受付部１８は、車両乗員による画面スクロール操作を受け付ける。また、操作受付部１８は、上記の情報に含まれるメッセージタイトルおよび本文を読み上げる音声合成による読み上げの操作を受け付けてもよい。この音声合成による読み上げの操作を受け付ける機能は、表示部１６に読み上げボタンを設けることにより実現されてもよい。
【００２９】
（車両状態判定処理）
次に、車載表示装置１の動作について説明する。図３は、車載表示装置における車両状態判定処理の流れの一例を示すフローチャートである。図３に示す車両状態判定処理は、車載表示装置１の動作中に繰り返し行われるものである。まず、表示制御部１４は、車両が走行中であるか否かを判断する（ステップＳ１０１）。例えば、表示制御部１４は、車両の動作を制御するＥＣＵ（Electronic Control Unit）などを含む運転制御部（図示しない）から車両の動作状態に関する情報を受信し、車両が走行中であるか否かを判断する。
【００３０】
表示制御部１４は、車両が走行中であると判断した場合、走行時用に設定された所定の表示制御である走行時表示制御を行う（ステップＳ１０３）。走行時表示制御においては、記憶部１２から読み出した情報に含まれるメッセージタイトルが表示部１６に表示される。一方、車両が走行中ではないと判断した場合、停止時用に設定された所定の表示制御である停止時表示制御を行う（ステップＳ１０５）。停止時表示制御においては、記憶部１２から読み出した情報に含まれるメッセージタイトルおよび本文が表示部１６に表示される。走行時表示制御および停止時表示制御の詳細については後述する。以後、車載表示装置１の動作中は、上記の処理が継続的に繰り返し行われ、走行時表示制御および停止時表示制御の切り替えが行われる。
【００３１】
（走行時表示制御）
次に、走行時表示制御について説明する。図４は、車載表示装置の走行時表示制御の処理の流れの一例を示すフローチャートである。まず、通信部１０は、車両の外部から発信された各種情報を受信し、記憶部１２に記憶させる（ステップＳ２０１）。
【００３２】
次に、表示制御部１４は、記憶部１２に記憶された情報を読み出し、この情報が自車両宛の情報であるか否かを判断する（ステップＳ２０３）。例えば、表示制御部１４は、この情報に含まれる情報提供の対象となる車種を確認し、この情報が自車両宛の情報であるか否かを判断する。表示制御部１４は、読み出した情報が自車両宛の情報ではない（自車両に関連付けされた情報ではない）と判断した場合、表示処理を行うことなく本フローチャートの処理を終了する。すなわち、表示制御部１４は、自車両に関連付けされていない情報を除外する。なお、情報の発信元において対象車種などを選別して情報を発信している場合には、表示制御部１４において自車両宛の情報であるか否かの判断処理は行わなくてもよい。
【００３３】
次に、表示制御部１４は、図５に示すように、表示部１６の表示画面Ｄの一部の表示領域Ｒ１（文字候補領域）に読み出した情報を表示させるための制御を行う。表示部１６が、ナビゲーション装置のナビゲーション画面を表示する機能を備えている場合には、表示画面Ｄの他の表示領域Ｒ２には、ナビゲーション画面を表示してもよい。あるいは、表示領域Ｒ２には、走行中に本文を表示することができない旨を車両乗員に通知するために「走行中は表示できません」などの文言を表示してもよい。また、表示画面Ｄの他の表示領域Ｒ３には、車両乗員によるメッセージタイトルおよび本文を音声合成にして読み上げる操作を受け付ける読み上げボタンＢ１（「読み上げ開始」ボタン）を表示してもよい。車両乗員により、この読み上げボタンＢ１がタッチされると、表示制御部１４は、音声発生部（図示しない）を制御し、メッセージタイトルおよび本文を音声で発声させる。これにより、車両乗員は、メッセージタイトルおよび本文を音声で確認することができる。また、車両が複数のメッセージを受信している場合には、表示するメッセージを切り替えるメッセージ切り替えボタンＢ２を表示領域Ｒ３に表示してもよい。
【００３４】
表示領域Ｒ１に読み出した情報を表示させるための制御として、まず、表示制御部１４は、読み出した情報に含まれるメッセージタイトルを抽出し、抽出したメッセージタイトルを第１サイズ且つ一列で表示する場合の表示幅（第１表示幅）を算出する（ステップＳ２０５）。例えば、表示制御部１４は、車載表示装置１に設けられた仮想領域上でメッセージタイトルを表示する場合の第１表示幅を計算する。
【００３５】
次に、表示制御部１４は、第１表示幅が幅閾値以下であるか否かを判断する（ステップＳ２０７）。この幅閾値とは、表示領域Ｒ１において、一列でメッセージタイトルを表示する場合に表示可能な最大の表示幅を示す。表示制御部１４は、第１表示幅が幅閾値以下であると判断した場合、図６に示すように、このメッセージタイトルを第１サイズ且つ一列で表示領域Ｒ１（縦方向の幅Ｗ１）に表示させ、本フローチャートの処理を終了する（ステップＳ２０９）。
【００３６】
一方、表示制御部１４は、第１表示幅が幅閾値よりも大きいと判断した場合（すなわち、第１サイズ且つ一列でメッセージタイトルを表示することができないと判断した場合）、メッセージタイトルを第２サイズ且つ一列で表示する場合の表示幅（第２表示幅）を算出する（ステップＳ２１１）。この第２サイズとは、第１サイズよりも小さい任意のサイズである。例えば、この第２サイズは、表示領域Ｒ１において、文字列を二列で表示する場合に表示することが可能な最大の大きさに設定される。
【００３７】
次に、表示制御部１４は、第２表示幅が幅閾値以下であるか否かを判断する（ステップＳ２１３）。表示制御部１４は、第２表示幅が幅閾値以下であると判断した場合、図７に示すように、このメッセージタイトルを第２サイズ且つ一列で表示領域Ｒ１（縦方向の幅Ｗ１）に表示させ、本フローチャートの処理を終了する（ステップＳ２１５）。第１サイズを使用する場合と比較して、第２サイズを使用した場合、より多くの文字数の文字列を一列に表示することができる。
【００３８】
一方、表示制御部１４は、第２表示幅が幅閾値よりも大きいと判断した場合（すなわち、第２サイズ且つ一列でメッセージタイトルを表示することができないと判断した場合）、メッセージタイトルの末尾の１文字を削除する（ステップＳ２１７）。
【００３９】
次に、表示制御部１４は、末尾の１文字を削除したメッセージタイトルを第２サイズ且つ一列で表示する場合の表示幅（第３表示幅）を算出し、算出した第３表示幅が幅閾値以下であるか否かを判断する（ステップＳ２１９）。表示制御部１４が、第３表示幅が幅閾値よりも大きいと判断した場合、メッセージタイトルの末尾の１文字をさらに削除し、末尾の１文字を削除したメッセージタイトル（計２文字を削除したメッセージタイトル）を第２サイズ且つ一列で表示する場合の第３表示幅を再度算出し、算出した第３表示幅が幅閾値以下であるか否かを判断する。以後、第３表示幅が幅閾値以下であると判断されるまで、メッセージタイトルの末尾の１文字の削除処理、幅閾値との比較処理を繰り返す。
【００４０】
表示制御部１４が、第３表示幅が幅閾値以下であると判断した場合、末尾文字の削除処理を行ったメッセージタイトルを表示領域Ｒ１の第一列目に表示する第１表示文字列とし、第１表示文字列の後に続く文字列（上記ステップＳ２１７の処理において削除された文字列）を表示領域Ｒ１の第二列目に表示する第２表示文字列とする（ステップＳ２２１）。
【００４１】
次に、表示制御部１４は、第２表示文字列を第２サイズ且つ一列で表示する場合の表示幅（第４表示幅）を算出し、算出した第４表示幅が幅閾値以下であるか否かを判断する（ステップＳ２２３）。表示制御部１４は、この第４表示幅が幅閾値以下であると判断した場合、図８に示すように、メッセージタイトルを第２サイズ且つ二列で表示領域Ｒ１（縦方向の幅Ｗ１）に表示させ、本フローチャートの処理を終了する（ステップＳ２２５）。具体的に、第１表示文字列を表示領域Ｒ１の第一列目に表示し、第２表示文字列を表示領域Ｒ１の第二列目に表示する。第２サイズ且つ一列で表示する場合と比較して、第２サイズ且つ二列で表示した場合、より多くの文字数の文字列を表示することができる。なお、表示制御部１４は、このメッセージタイトルを第２サイズ且つ二列以上の複数列で表示領域Ｒ１に表示させてもよい。
【００４２】
一方、表示制御部１４は、第４表示幅が幅閾値よりも大きいと判断した場合（すなわち、第２サイズ且つ一列で第２表示文字列を表示することができないと判断した場合）、第２表示文字列の末尾に省略文字（例えば、三点リーダ（…），または３つの半角の「・」）を追加する（ステップＳ２２７）。すなわち、第４表示幅が幅閾値よりも大きい場合とは、メッセージタイトルが表示領域Ｒ１に収まらない場合であるため、メッセージタイトルの末尾に省略文字を追加する。
【００４３】
次に、表示制御部１４は、省略文字の直前の１文字を削除する（ステップＳ２２９）。
【００４４】
次に、表示制御部１４は、省略文字の直前の１文字を削除した第２表示文字列を第２サイズ且つ一列で表示する場合の第４表示幅を再度算出し、算出した第４表示幅が幅閾値以下であるか否かを判断する（ステップＳ２３１）。表示制御部１４が、第４表示幅が幅閾値よりも大きいと判断した場合、第２表示文字列の省略文字の直前の１文字をさらに削除し、第２表示文字列（計２文字を削除した第２表示文字列）を第２サイズ且つ一列で表示する場合の第４表示幅を再度算出し、算出した第４表示幅が幅閾値以下であるか否かを判断する。以後、第４表示幅が幅閾値以下であると判断されるまで、第２表示文字列の省略文字の直前の１文字の削除処理、幅閾値との比較処理を繰り返す。
【００４５】
表示制御部１４は、第４表示幅が幅閾値以下であると判断した場合、図９に示すように、メッセージタイトルを第２サイズ且つ二列で表示領域Ｒ１（縦方向の幅Ｗ１）に表示させ、本フローチャートの処理を終了する（ステップＳ２３３）。具体的に、第１表示文字列を表示領域Ｒ１の第一列目に表示し、省略文字を追加した第２表示文字列を表示領域Ｒ１の第二列目に表示する。車両乗員は、この省略文字が追加された文字列を確認することで、表示領域Ｒ１に表示されたメッセージタイトルに続きがあることを把握することができる。
【００４６】
メッセージタイトルは、半角および全角の日本語（漢字、片仮名、平仮名）、半角および全角の数字、英語、スペース、その他記号などが混在したものであるため、このメッセージタイトルの末尾文字を削除して省略文字を追加した場合（例えば、第２表示文字列の末尾の全角文字３文字を削除し、省略文字である半角の「・」を３つ追加した場合）、表示領域Ｒ１の末尾に不要なスペースが表示され画面の見栄えが悪化する場合がある。そこで、本実施形態では、上記に説明したように、省略文字の直前の１文字の削除処理と、幅閾値との比較処理とを繰り返して実行することで、表示領域Ｒ１の末尾に不要なスペースが表示されることを防ぐことができる。
【００４７】
（停止時表示制御処理）
次に、停止時表示制御について説明する。図１０は、車両停止中において、情報を車載表示装置に表示する場合の画面の一例を示す図である。図１０に示すように、表示領域Ｒ１にメッセージタイトルが表示される。表示領域Ｒ１におけるメッセージタイトルの表示制御は、上記の車両走行中における制御と同様である。さらに、車両走行中とは異なり、車両停止中においては、表示領域Ｒ２に本文が表示される。このように、車両停止中においては、表示画面の全体に情報が表示される。本文の全てを表示領域Ｒ２に表示できない場合には、車両乗員による画面スクロール操作を受け付けるスクロールバーＢ３（または、「次へ」ボタン）を表示してもよい。車両乗員により、このスクロールバーＢ３がタッチされると、表示制御部１４は、第一の画面で表示されていなかった情報の続きを表示部１６に表示させる。これにより、車両乗員は、第一の画面で表示されていなかった情報の続きを確認することができる。
【００４８】
以上の本実施形態によれば、メッセージタイトルを表示する表示領域Ｒ１、本文を表示する表示領域Ｒ２、各種操作ボタンを表示する表示領域Ｒ３の表示位置、高さ、及び幅を固定し、レイアウトを統一することで表示画面の利便性および視認性を向上させることができる。また、車両の外部から受信した情報を、車両に設けられた表示制御装置で処理し、その情報量に応じて、表示画面に表示される文字サイズおよび列数を制御するため、表示画面の視認性を向上させることができる。例えば、メッセージタイトルを表示領域Ｒ１内に一列で表示することができる場合には、一列で表示して視認性を確保する。この場合、表示するメッセージタイトルの文字サイズを適宜変更することもできる。
【００４９】
また、メッセージタイトルが長文であり表示領域Ｒ１内に一列で表示することができない場合には二列で表示することで、メッセージタイトルの表示を不要に省略することなくその内容を車両乗員が理解できるように配慮している。さらに、表示領域Ｒ１内にメッセージタイトルを二列で表示することができない場合には、省略文字を追加して車両乗員がメッセージタイトルに続きがあることを把握できるようにしている。この場合、表示領域Ｒ１の末尾に不要なスペースが表示されないように省略文字を追加することで、画面の見栄えを向上させることができる。また、車両停止中においては、メッセージタイトルに加えて、本文を表示することでより多くの情報を含み且つ視認性の高い画面を表示させることができる。
【００５０】
＜第２の実施形態＞
次に、本発明の第２の実施形態について説明する。第１の実施形態では、表示領域Ｒ１にメッセージタイトルのみを表示する例を説明した。一方、本実施形態では、表示領域Ｒ１に、メッセージタイトルおよび本文の双方を表示する例を説明する。本実施形態の説明において、上記の第１実施形態と同様の部分には同じ参照番号を付与し、その説明を省略あるいは簡略化する。
【００５１】
（走行時表示制御）
以下、走行時表示制御について説明する。図１１は、車載表示装置の走行時表示制御の処理の流れの一例を示すフローチャートである。まず、通信部１０は、車両の外部から発信された各種情報を受信し、記憶部１２に記憶させる（ステップＳ３０１）。
【００５２】
次に、表示制御部１４は、記憶部１２に記憶された情報を読み出し、この情報が自車両宛の情報であるか否かを判断する（ステップＳ３０３）。なお、情報の発信元において対象となる車種を選別して情報を発信している場合、表示制御部１４は、自車両宛の情報であるか否かの判断を行わなくてもよい。
【００５３】
次に、表示制御部１４は、表示部１６の表示画面Ｄの一部の表示領域Ｒ１（文字候補領域）に、読み出した情報を表示させるための制御を行う。表示領域Ｒ１に読み出した情報を表示させるための制御として、まず、表示制御部１４は、読み出した情報に含まれるメッセージタイトルおよび本文を抽出し、このメッセージタイトルと本文との間に少なくとも１つの半角スペースを挿入した文字列（以下、「結合文字列」という）を生成する（ステップＳ３０５）。この半角スペースは、結合文字列を表示画面Ｄに表示した場合における視認性を向上させる目的で挿入されるものである。半角スペースは、全角スペースであってもよいし、他の区切り文字（“：”，“｜”など）であってもよい。
【００５４】
次に、表示制御部１４は、上記の結合文字列の表示幅に応じて、表示形式を変更する制御を行う。まず、表示制御部１４は、この結合文字列を第１サイズ且つ一列で表示する場合の表示幅（第１表示幅）を算出する（ステップＳ３０７）。
【００５５】
次に、表示制御部１４は、第１表示幅が幅閾値以下であるか否かを判断する（ステップＳ３０９）。この幅閾値とは、表示領域Ｒ１において、一列で結合文字列を表示する場合に表示可能な最大の表示幅を示す。表示制御部１４は、この第１表示幅が幅閾値以下であると判断した場合、図１２に示すように、この結合文字列を第１サイズ且つ一列で表示領域Ｒ１（縦方向の幅Ｗ１）に表示させ、本フローチャートの処理を終了する（ステップＳ３１１）。図１２においては、メッセージタイトルＨ１と、本文Ｈ２とが、半角スペースＳ１で結合された結合文字列が、第１文字サイズで表示されている。
【００５６】
一方、表示制御部１４は、第１表示幅が幅閾値よりも大きいと判断した場合（すなわち、第１サイズ且つ一列で結合文字列を表示することができないと判断した場合）、結合文字列を第２サイズ且つ一列で表示する場合の表示幅（第２表示幅）を算出する（ステップＳ３１３）。この第２サイズとは、第１サイズよりも小さい任意のサイズである。
【００５７】
次に、表示制御部１４は、第２表示幅が幅閾値以下であるか否かを判断する（ステップＳ３１５）。表示制御部１４は、第２表示幅が幅閾値以下であると判断した場合、図１３に示すように、この結合文字列を第２サイズ且つ一列で表示領域Ｒ１（縦方向の幅Ｗ１）に表示させ、本フローチャートの処理を終了する（ステップＳ３１７）。
【００５８】
一方、表示制御部１４は、第２表示幅が幅閾値よりも大きいと判断した場合（すなわち、第２サイズ且つ一列で結合文字列を表示することができないと判断した場合）、結合文字列の末尾の１文字を削除する（ステップＳ３１９）。
【００５９】
次に、表示制御部１４は、末尾の１文字を削除した結合文字列を第２サイズ且つ一列で表示する場合の表示幅（第３表示幅）を算出し、算出した第３表示幅が幅閾値以下であるか否かを判断する（ステップＳ３２１）。表示制御部１４が、第３表示幅が幅閾値よりも大きいと判断した場合、結合文字列の末尾の１文字をさらに削除し、末尾の１文字を削除した結合文字列（計２文字を削除した結合文字列）を第２サイズ且つ一列で表示する場合の第３表示幅を再度算出し、算出した第３表示幅が幅閾値以下であるか否かを判断する。以後、第３表示幅が幅閾値以下であると判断されるまで、結合文字列の末尾の１文字の削除処理、幅閾値との比較処理を繰り返す。
【００６０】
表示制御部１４が、第３表示幅が幅閾値以下であると判断した場合、末尾文字の削除処理を行った結合文字列を表示領域Ｒ１の第一列目に表示する第１表示文字列とし、第１表示文字列の後に続く文字列（上記ステップＳ３１９の処理において削除された文字列）を表示領域Ｒ１の第二列目に表示する第２表示文字列とする（ステップＳ３２３）。
【００６１】
次に、表示制御部１４は、第２表示文字列を第２サイズ且つ一列で表示する場合の表示幅（第４表示幅）を算出し、算出した第４表示幅が幅閾値以下であるか否かを判断する（ステップＳ３２５）。表示制御部１４は、この第４表示幅が幅閾値以下であると判断した場合、図１４に示すように、結合文字列を第２サイズ且つ二列で表示領域Ｒ１（縦方向の幅Ｗ１）に表示させ、本フローチャートの処理を終了する（ステップＳ３２７）。
【００６２】
一方、表示制御部１４は、第４表示幅が幅閾値よりも大きいと判断した場合（すなわち、第２サイズ且つ一列で第２表示文字列を表示することができないと判断した場合）、第２表示文字列の末尾に省略文字（例えば、三点リーダ（…），または３つの半角の「・」）を追加する（ステップＳ３２９）。
【００６３】
次に、表示制御部１４は、省略文字の直前の１文字を削除する（ステップＳ３３１）。
【００６４】
次に、表示制御部１４は、省略文字の直前の１文字を削除した第２表示文字列を第２サイズ且つ一列で表示する場合の第４表示幅を再度算出し、算出した第４表示幅が幅閾値以下であるか否かを判断する（ステップＳ３３３）。表示制御部１４が、第４表示幅が幅閾値よりも大きいと判断した場合、第２表示文字列の省略文字の直前の１文字をさらに削除し、第２表示文字列（計２文字を削除した第２表示文字列）を第２サイズ且つ一列で表示する場合の第４表示幅を再度算出し、算出した第４表示幅が幅閾値以下であるか否かを判断する。以後、第４表示幅が幅閾値以下であると判断されるまで、第２表示文字列の省略文字の直前の１文字の削除処理、幅閾値との比較処理を繰り返す。
【００６５】
表示制御部１４は、第４表示幅が幅閾値以下であると判断した場合、図１５に示すように、結合文字列を第２サイズ且つ二列で表示領域Ｒ１（縦方向の幅Ｗ１）に表示させ、本フローチャートの処理を終了する（ステップＳ３３５）。
【００６６】
また、車両の走行中において、車両乗員により、図１５に示される表示画面Ｄの表示領域Ｒ１に表示された本文Ｈ２がタッチされた場合、図１６に示すように、表示領域Ｒ１よりも多くの文字列を表示させることが可能な表示領域Ｒ４に文字列を表示させるようにしてもよい。この表示領域Ｒ４の縦方向の幅Ｗ２は、表示領域Ｒ１の縦方向の幅Ｗ１よりも大きい。図１６においては、表示領域Ｒ４に第１サイズ且つ四列で結合文字列を表示する例を示している。しかしながら、表示領域Ｒ４に、他の文字サイズ、四列以外の複数列で結合文字列を表示してもよい。また、表示制御部１４は、表示領域Ｒ３の末尾に省略文字が表示されるように、文末に省略文字を追加する処理を行ってもよい。なお、停止時表示制御処理は、上記の第１実施形態おける処理と同様であるため、詳細な説明は省略する。
【００６７】
以上の本実施形態によれば、メッセージタイトルおよび本文を表示する表示領域Ｒ１（Ｒ４）、本文を表示する表示領域Ｒ２、各種操作ボタンを表示する表示領域Ｒ３の表示位置、高さ、及び幅を固定し、レイアウトを統一することで表示画面の利便性および視認性を向上させることができる。また、車両の外部から受信した情報を、車両に設けられた表示制御装置で処理し、その情報量に応じて、表示画面に表示される文字サイズおよび列数を制御するため、表示画面の視認性を向上させることができる。
【００６８】
また、本実施形態によれば、車両走行中において表示領域Ｒ１（Ｒ４）にメッセージタイトルおよび本文（本文の一部または全部）を表示するようにしているため、車両乗員は走行中により多くの情報を確認することができる。この場合、表示領域Ｒ１に表示される情報量は適切な範囲に制御されるため、車両乗員が車載表示装置を確認することにより注意が散漫になることを防止することができる。
【００６９】
以上、本発明を実施するための形態について実施形態を用いて説明したが、本発明はこうした実施形態に何等限定されるものではなく、本発明の要旨を逸脱しない範囲内において種々の変形および置換を加えることができる。
【符号の説明】
【００７０】
１…車載表示装置、１０…通信部、１２…記憶部、１４…表示制御部、１６…表示部、１８…操作受付部
【図１】
2018022094.tif 000003
【図２】
2018022094.tif 000004
【図３】
2018022094.tif 000005
【図４】
2018022094.tif 000006
【図５】
2018022094.tif 000007
【図６】
2018022094.tif 000008
【図７】
2018022094.tif 000009
【図８】
2018022094.tif 000010
【図９】
2018022094.tif 000011
【図１０】
2018022094.tif 000012
【図１１】
2018022094.tif 000013
【図１２】
2018022094.tif 000014
【図１３】
2018022094.tif 000015
【図１４】
2018022094.tif 000016
【図１５】
2018022094.tif 000017
【図１６】
2018022094.tif 000018